(57)【要約】      （修正有）【課題】排水用のパイプの配管工事をする際に、排水用のパイプに確実に５０分の１の勾配をつけて配管工事をすることを可能とする配管パイプ角度固定用定規を提供する。【解決手段】配管パイプ角度固定用定規の第１保持部と第２保持部のなす角度を９１度１０分とし、また、配管パイプ角度固定用定規に設けられた開口部の端の一つを利用して、第１保持部に差し込まれたパイプにマークをすると、差し込んだパイプの呼び径に対応するチーズまたはエルボーのカラログに記載されているＺの値に対応した位置にマークがされるように、配管パイプ角度固定用定規を構成する。【選択図】図１
0003133724.tif 000002
【実用新案登録請求の範囲】
【請求項１】
水道管の排水用の配管工事をするときに使用する配管パイプの角度を固定するための配管パイプ角度固定用定規であって、
前記配管パイプ角度固定用定規は円筒形の第１保持部と、
前記第１保持部にＴ字型に連結された円筒形の第２保持部と、を備え、
前記第１保持部と、前記第２保持部とがなす角度は９１度１０分であり、
水道の配管用の第１のパイプを前記第１保持部に通し、水道の配管用の第２のパイプを前記第２保持部に通すことにより、前記第１のパイプと前記第２のパイプとがなす角度は９１度１０分となるように構成されていることを特徴とする配管パイプ角度固定用定規。
【請求項２】
請求項１に記載の配管パイプ角度固定用定規において、
前記第１保持部は、円筒が２つに縦に割られた半円筒形の第１半円筒部と、第２半円筒部とを備え、
前記第２保持部は前記第１半円筒部に連結され、
前記第１半円筒部と、前記第２半円筒部とは、連結具によって、開閉自由な状態で連結され、
水道の配管用の第１のパイプを前記第１保持部に固定する時には、前記連結具によって第１半円筒部と、第２半円筒部とを開閉することによって、前記第１のパイプを容易に前記第１保持部に取り付け、取り外しができるように構成されていることを特徴とする配管パイプ角度固定用定規。
【請求項３】
請求項１に記載の配管パイプ角度固定用定規において、
前記第１保持部は円筒を縦に割るように切り込みを有して、
水道の配管用の第１のパイプを前記第１保持部に固定する時には、前記第１保持部の前記切り込みが少し開くことによって、前記第１のパイプを容易に前記第１保持部に固定できるように構成されていることを特徴とする配管パイプ角度固定用定規。
【請求項４】
請求項１乃至３のいずれかに記載の配管パイプ角度固定用定規において、
前記第２保持部の内側には段差が設けられて、前記第２のパイプを前記第２保持部に差し込んだときにはこの段差より奥には差し込めないものであり、
前記第１保持部は所定の場所に開口部を有して、
前記第１のパイプを前記第１保持部に通した場合に、前記開口部から前記第１のパイプに容易にマークをすることができるように構成されていることを特徴とする配管パイプ角度固定用定規。
【請求項５】
請求項４に記載の配管パイプ角度固定用定規において、
前記開口部が設けられる前記所定の場所は、前記第１保持部の中心線と前記第２保持部の中心線との交点から、前記第１保持部の中心線上を前記第１のパイプと前記第２のパイプとをＴ字形に連結させるために使用するチーズ継手のカタログに記載されているZの長さだけ離れた場所で、前記第１保持部の中心線と直交する平面と、前記第１保持部を構成する円筒とが交わる線上にあることを特徴とする配管パイプ角度固定用定規。
【請求項６】
請求項１乃至４のいずれかに記載の配管パイプ角度固定用定規において、
前記第２保持部は第１保持部の端に連結されて、前記第１保持部と前記第２保持部とはL字形を構成することを特徴とする配管パイプ角度固定用定規。
【請求項７】
請求項６に記載の配管パイプ角度固定用定規において、
前記開口部が設けられる前記所定の場所は、前記第１保持部の中心線と前記第２保持部の中心線との交点から、前記第１保持部の中心線上を前記第１のパイプと前記第２のパイプとをL字形に連結させるために使用するエルボー継手のカタログに記載されているZの長さだけ離れた場所で、前記第１保持部の中心線と直交する平面と前記第１保持部を構成する円筒とが交わる線上にあることを特徴とする配管パイプ角度固定用定規。
【請求項８】
請求項１乃至７のいずれかに記載の配管パイプ角度固定用定規において、
前記配管パイプ角度固定用定規の材料は塩化ビニールであることを特徴とする配管パイプ角度固定用定規。
【考案の詳細な説明】
【技術分野】
【０００１】
本考案は、水道の排水用の配管工事の際に、特定の角度にパイプとパイプとを接合するための配管用の道具に関する。
【背景技術】
【０００２】
排水用の排水管を配置する配管工事を行う際には、排水が上流から下流へ、途中で留まることなく確実に流れるようにするために一定の勾配をつけて配管をしなければならない。排水管は、床下等のように、狭い空間に設置されるので、一定の勾配をつけながら、狭い空間に排水管を設置するためには、できる限り小さな勾配でありながら、確実に、排水が上流から下流へと流れる勾配にする必要がある。このような条件を具備する勾配として、５０分の１の勾配（水平距離５０メートルにつき１メートルの割合で高低差をつける勾配）が一般的に用いられている。また、非特許文献１に掲載されているように５０分の１の勾配をつけて配管する際に用いる配管資材として、専用のエルボやチーズが市販されている。
なお、水平方向に対して５０分の１の勾配は、垂直方向と９１度１０分の角度に対応する。
【非特許文献１】建築設備配管資材、総合カタログ、２００４年、積水化学工業株式会社、ページ２４
【考案の開示】
【考案が解決しようとする課題】
【０００３】
しかしながら、排水管の５０分の１の勾配を確実に保ちながら、排水管を施工することは相当に難しく、施工効率を改善する際の障害となっている。また、施工効率を無理に上げると、施工工事の質に悪影響が出やすい。
【０００４】
図を参照して、説明する。
図５は、配管用のパイプを接続するときに使用するチーズとエルボーを使用して行う配管工事の方法を説明するための部分斜視図である。
図５において、５０１と５０８は垂直方向のパイプであり、５０５と５０７は水平方向のパイプであり、５０３は第１の水平器であり、５０４は、第２の水平器であり、５１０はチーズであり、５０６はエルボーである。パイプ５０７、５０１、５０８はチーズで連結されており、パイプ５０８と５０５はエルボー５０６で連結されている。
【０００５】
排水用のパイプを配管する際には、水平方向のパイプ５０５と５０７は水平に対して５０分の１の勾配（水平距離５０メートルにつき１メートルの割合で高低差をつける勾配）をつける必要がある。この勾配をつけるために、従来の方法では、水平方向のパイプ５０５について、水平器５０３をあてて勾配を維持し、さらに、パイプを連結させるために用いるチーズ５１０および／またはエルボー５０６についての所謂Z（非特許文献１カタログの２４ページ等に記載されている）という寸法を考慮して、配管するために用いる個々のパイプの長さを決定する必要があった（Zについては実施の形態についての説明で詳説する）。この作業は、チーズやエルボーで組み込まれる個々のパイプに対して行う必要があり、相当の注意力と作業時間とを必要とする。また、緻密な作業をしないと、施工の質に関する問題が生じやすい。
【０００６】
そこで、本考案は排水用の配管工事をする際に、容易に５０分の１の勾配をつけて、確実に配管工事をすることを可能とする道具としての配管パイプ角度固定用定規を提供することを目的とする。
【課題を解決するための手段】
【０００７】
請求項１に記載された考案は、水道管の排水用の配管工事をするときに使用する配管パイプ角度固定具であって
前記配管パイプ角度固定用定規は円筒形の第１保持部と、
前記第１保持部にＴ字型に連結された円筒形の第２保持部と、を備え、
前記第１保持部と、前記第２保持部とがなす角度は９１度１０分であり、
水道の配管用の第１のパイプを前記第１保持部に通し、水道の配管用の第２のパイプを前記第２保持部に通すことにより、前記第１のパイプと前記第２のパイプとがなす角度は９１度１０分となるように構成されていることを特徴とする。
【０００８】
請求項２に記載された考案は、請求項１に記載の配管パイプ角度固定用定規に係り、
前記第１保持部は、円筒が２つに縦に割られた半円筒形の第１半円筒部と、第２半円筒部とを備え、
前記第２保持部は前記第１半円筒部に連結され、
前記第１半円筒部と、前記第２半円筒部とは、連結具によって、開閉自由な状態で連結され、
水道の配管用の第１のパイプを前記第１保持部に固定する時には、前記連結具によって第１半円筒部と、第２半円筒部とを開閉することによって、前記第１のパイプを容易に前記第１保持部に取り付け、取り外しができるように構成されていることを特徴とする。
【０００９】
請求項３に記載された考案は、請求項１に記載の配管パイプ角度固定用定規に係り、
前記第１保持部は円筒を縦に割るように切り込みを有して、
水道の配管用の第１のパイプを前記第１保持部に固定する時には、前記第１保持部の前記切り込みが少し開くことによって、前記第１のパイプを容易に前記第１保持部に固定できるように構成されていることを特徴とする。
【００１０】
請求項４に記載された考案は、請求項１乃至３のいずれかに記載の配管パイプ角度固定用定規に係り、
前記第２保持部の内側には段差が設けられて、前記第２のパイプを前記第２保持部に差し込んだときにはこの段差より奥には差し込めないものであり、
前記第１保持部は所定の場所に開口部を有して、
前記第１のパイプを前記第１保持部に通した場合に、前記開口部から前記第１のパイプに容易にマークをすることができるように構成されていることを特徴とする。
【００１１】
請求項５に記載された考案は、請求項４に記載の配管パイプ角度固定用定規に係り、
前記開口部が設けられる前記所定の場所は、前記第１保持部の中心線と前記第２保持部の中心線との交点から、前記第１保持部の中心線上を前記第１のパイプと前記第２のパイプとをＴ字形に連結させるために使用するチーズ継手のカタログに記載されているZの長さだけ離れた場所で前記第１保持部の中心線と直交する平面と前記第１保持部を構成する円筒とが交わる線上にあることを特徴とする。
【００１２】
請求項６に記載された考案は、請求項１乃至４のいずれかに記載の配管パイプ角度固定用定規に係り、
前記第２保持部は第１保持部の端に連結されて前記第１保持部と前記第２保持部とはL字形を構成することを特徴とする。
【００１３】
請求項７に記載された考案は、請求項６に記載の配管パイプ角度固定用定規に係り、
前記開口部が設けられる前記所定の場所は、前記第１保持部の中心線と前記第２保持部の中心線との交点から前記第１保持部の中心線上を前記第１のパイプと前記第２のパイプとをL字形に連結させるために使用するエルボー継手のカタログに記載されているZの長さだけ離れた場所で前記第１保持部の中心線と直交する平面と前記第１保持部を構成する円筒とが交わる線上にあることを特徴とする配管パイプ角度固定用定規。
【００１４】
請求項８に記載された考案は、請求項１乃至７のいずれかに記載の配管パイプ角度固定用定規に係り、
前記配管パイプ角度固定用定規の材料は塩化ビニールであることを特徴とする。
【考案の効果】
【００１５】
本発明に係る配管パイプ角度固定用定規によれば、チーズおよび／またはエルボーを用いて排水用の配管工事をする際に、容易かつ確実に５０分の１の勾配をつけて、パイプを配管することができ、配管作業コストを低減できるとともに、配管工事の質を向上させることができる。
【考案を実施するための最良の形態】
【００１６】
以下、図を参照しつつ、考案を実施するための最良の形態につき説明する。
（実施の形態１）
以下、図を参照して説明する。
【００１７】
図１は本考案の実施の形態１に係る配管パイプ角度固定用定規の概略を表す斜視図である
図１において、１００は本考案の実施の形態１に係る配管パイプ角度固定用定規であり、１０１は第１保持部であり、１０２は第２保持部であり、１０３は切り込みであり、１０４は開口部であり、１１１は第１保持部１０１を構成する円筒の中心線であり、１１２は第２保持部１０２を構成する円筒の中心線であり、１１３は中心線１１１と中心線１１２との交点であり、１３０は開口部１０４を含み、中心線１１１に直交する平面（以下「開口部含有中心線直交面」ともいう）と中心線１１１との交点である。またZは、交点１３０と、中心線１１１と中心線１１２との交点１１３との間の距離（以下「特定距離」ともいう）である。また、Xは第１保持部１０１と第２保持部１０２とがなす角度、いいかえれば中心線１１１と中心線１１２とがなす角度である。また、１０５は開口部１０４とは、異なる態様の開口部である。
【００１８】
第１保持部１０１と第２保持部１０２はともに円筒形状である。第１保持部１０１には、切断しようとするパイプ（以下「切断対象パイプ」ともいう）が差し込まれ、第２保持部１０２には、チーズによって切断対象パイプと連結する予定のパイプ（以下「連結予定パイプ」ともいう）が差し込まれる。第１保持部１０１と第２保持部１０２とがなす角度Xは９０度１０分である。
【００１９】
第１保持部１０１は開口部１０４を有する。この開口部１０４は、第１保持部１０１を構成する円筒の中心線と、第２保持部１０２を構成する円筒の中心線との交点から、前記特定距離Zだけ離れた位置で中心線１１１に直交する平面の上に設置されている。
【００２０】
まず、従来の方法により、パイプを所定の長さに切断する方法について説明する。
図９は従来の方法により、パイプを所定の長さに切断する方法を説明するための斜視図である。
図９において、９０１は切断対象パイプであり、５０６は切断対象パイプの切断予定側ではない側のパイプの端を固定しているエルボーであり、Lは切断対象パイプ９０１の右端から切断すべき位置までの長さであり、９０４は水平器であり、９１０は連結する予定のパイプである。また５１０はパイプを連結するためのチーズであり、５２０はチーズ５１０の受け口の端である。
【００２１】
従来の方法により、パイプを所定の長さに切断するためには、まず、切断対象パイプ９０１の一方の端を仮止めしてから、切断対象パイプ９０１の勾配を５０分の１に調整し、長さLを求める必要がある。しかし、切断しようとする側の反対の端をエルボーで固定して、パイプの勾配を５０の１に維持し、パイプに使用する予定のチーズをあてて、長さLを測ろうとすると、長さLの基準となる位置は、チーズ５１０の内部であり、外から見えない。そのため、外部から見えるチーズの受け口の端５２０までの長さを測り、その長さにチーズのZを加えて長さLを求める。この作業は、パイプの勾配を５０の１に維持しながら行わなければならず、測定に誤差が生じやすい。
【００２２】
次に、本実施の形態に係る配管パイプ角度固定用定規を用いて、パイプを所定の長さに切断する方法について説明する。
図１０は本実施の形態に係る配管パイプ角度固定用定規を用いて、パイプを所定の長さに切断する方法を説明するための斜視図である。
図１０において、９０１は切断対象パイプであり、９０２は切断対象パイプの切断する側と反対側のパイプの端を固定しているエルボーであり、Lは切断対象パイプ９０１の右端から切断すべき位置までの長さであり、９０４は水平器であり、９１０はパイプである。
【００２３】
また１００は実施の形態１に係る配管パイプ角度固定用定規であり、１０１は第１保持部であり、１０２は第２保持部である。
【００２４】
本考案の実施の形態１に係る配管パイプ角度固定用定規の開口部１０４は、切断対象の配管パイプを第１保持部に差し込んだときに、開口部１０４の位置が配管パイプの切断すべき位置と一致するように設置されている。位置を一致させるために、図１に示されているように、開口部１０４は、第１保持部の中心線１１１と前記第２保持部の中心線１１２との交点１１３から、第１保持部の中心線上を第１のパイプと前記第２のパイプとをＴ字形に連結させるために使用するチーズ継手のカタログに記載されているZの長さだけ離れた場所で、第１保持部の中心線と直交する平面と第１保持部を構成する円筒とが交わる線上に設けられている。なお、開口部は開口部１０４のように局所的に設けるものでも、開口部１０５のように大きなサイズのものであってもよい。重要な点は、パイプのZの位置にマークができるように構成されていればよい。
本考案の実施の形態１に係る配管パイプ角度固定用定規のおける開口部１０５においては、開口部１０５の端の一つを利用してパイプのZの位置にマークができるように構成されている。
【００２５】
したがって、本実施の形態に係る配管パイプ角度固定用定規を用いてパイプを切断する場合には、パイプ９０１を図１０の状態にセットした後は、長さLを測定する必要はなく、単に開口部１０４を基準としてパイプにマークをして切断すればよい。また、パイプ９０１の勾配を５０の１にするためには、パイプ９１０を垂直にするだけでよい。角度Xは９１度１０分であるので、パイプ９１０を垂直にすれば自動的にパイプ９０１は水平方向に対して、５０分の１の勾配になるからである。なお、５０分の１の勾配は角度にすると９１度１０分である。
【００２６】
したがって、本実施の形態に係る配管パイプ角度固定用定規を用いると、正しい勾配と、正しい長さを有するパイプを、容易かつ正確に設置でき、作業効率の向上と配管の質の向上を実現することができる。
【００２７】
次に図１のZの値について詳細に、説明する。
図７はチーズのカタログに記載されているチーズの断面図である。
表１はチーズのカタログに記載されているＺの値に関する表である。
【００２８】
【表１】
0003133724.tif 000003
図７において、７０１と７０２はパイプを差し込むための受け口であり、７１１は受け口７０１を構成する円筒の中心線であり、７１２は受け口７０２を構成する円筒の中心線であり、７１３は中心線７１１と中心線７１２との交点であり、Xは中心線７１１と中心線７１２とがなす角度であり、７２３は受け口７０１の内径が少し小さくなり、パイプを受け口７０１に差し込んだときに、該パイプの先端がこの線のところで止まり、これ以上、受け口の奥には入らないようにするための段差を表す線（以下「段差線」ともいう）である。７２４と７２５も同様の段差線である。Z1は中心線７１２と段差線７２４との間隔であり、Z2は中心線７１２と段差線７２３との間隔である。
【００２９】
本実施の形態に係る配管パイプ角度固定用定規の第１保持部１０１の中心線１１１は図７に示されるチーズについての中心線７１１に、本実施の形態に係る配管パイプ角度固定用定規の第２保持部１０２の中心線１１２は図７に示されるチーズについての中心線７１２に、それぞれ対応するように、本実施の形態に係る配管パイプ角度固定用定規は構成される。
【００３０】
また、図７のZ1とZ2は表１に記載されているZ1とZ2とに対応する。このZは図７に示されているように、水平方向のパイプの中心線７１２と、垂直方向に差し込まれるパイプの先端と一致する段差線７２３または７２４との間隔を表す値であり、チーズやエルボーを用いて配管工事をする際には重要な意味を持つ寸法である。
なお、表１において、Z1とあるのは中心線７１２の下側のZであり、Z2とあるのは、中心線７１２の上側のZである。上側と下側のZが同じ場合もある。説明においてはZ1とZ2を総称してZとしている。
【００３１】
表１には種々の呼び径のチーズに対するZの数値が記載されている。例えば、呼び径が３０ｍｍの場合にはZ１とZ2はともに２２ｍｍの数値が記載されている。
【００３２】
次に、切り込み１０３について説明する。
図１の切り込み１０３は、第１保持部にパイプを差し込む際に、切り込み１０３が少し開くことによって、パイプの径が広がり、パイプを差し込みやすくするためのものである。
ただし、切り込みがなくてもよい。
【００３３】
図３は、切り込みを有せず、第１円筒部が単なる円筒形の場合の配管パイプ角度固定用定規である。
図３において、１００は配管パイプ角度固定用定規であり、１０１は第１保持部であり、１０２は第２保持部であり、１０４は開口部であり、１１１は第１保持部１０１を構成する円筒の中心線であり、１１２は第２保持部１０２を構成する円筒の中心線であり、１１３は中心線１１１と中心線１１２の交点であり、Zは、中心線１１１に直交する平面であって開口部１０４を含む平面と中心線１１１との交点と、中心線１１１と中心線１１２との交点１１３との間の距離である。またXは、第１保持部１０１と第２保持部１０２とがなす角度、いいかえれば中心線１１１と中心線１１２とがなす角度である。
【００３４】
第１保持部１０１と第２保持部１０２はともに円筒形状である。第１保持部１０１には、垂直方向の排水用のパイプが差し込まれ、第２保持部１０２には、水平方向の排水用のパイプが差し込まれる。第１保持部１０１と第２保持部１０２とがなす角度Xは９０度１０分である。
【００３５】
また、第１円筒部を構成する円筒を縦に２つに割って、第１半円筒部と第２半円筒部とし、第１半円筒部と第２半円筒部とを連結具で開閉自在に連結し、パイプを差し込む際には、第１半円筒部と第２半円筒部とを開き、固定する際には、閉じることができるようにしてもよい。
【００３６】
図２は、第１円筒部を構成する円筒を縦に２つに割って、第１半円筒部と第２半円筒部とし、第１半円筒部と第２半円筒部とを連結具で開閉自在に連結した配管パイプ角度固定用定規の概略斜視図である。
図２において、１０１は第１円筒部であり、２０１は第１半円筒部であり、２０２は第２半円筒部である。第１半円筒部２０１と第２半円筒部２０２は連結具で開閉自在に連結されている。なお、連結具は図示していないが、公知の連結具でよいので、説明は省略する。
【００３７】
また、図２において、１０１は第１保持部であり、１０２は第２保持部であり、１０４は開口部であり、１１１は第１保持部１０１を構成する円筒の中心線であり、１１２は第２保持部１０２を構成する円筒の中心線であり、１１３は中心線１１１と中心線１１２の交点であり、Zは中心線１１１に直交する平面であって、開口部１０４を含む平面と中心線１１１の交点と、中心線１１１と中心線１１２の交点１１３との間の距離である。また、Xは第１保持部１０１と第２保持部１０２とがなす角度、いいかえれば中心線１１１と中心線１１２とがなす角度であり、９１度１０分である。
（実施の形態２）
次に実施の形態２について、図を参照して説明する。
図８は本考案の実施の形態２に係る配管パイプ角度固定用定規の概略を表す斜視図である。
図８において、１００は本考案の実施の形態２に係る配管パイプ角度固定用定規であり、１０１は第１保持部であり、１０２は第２保持部であり、１０３は切り込みであり、１０４は開口部であり、１１１は第１保持部１０１を構成する円筒の中心線であり、１１２は第２保持部１０２を構成する円筒の中心線であり、１１３は中心線１１１と中心線１１２の交点であり、Zは、中心線１１１に直交する平面であって開口部１０４を含む平面と中心線１１１との交点と、中心線１１１と中心線１１２の交点１１３との間の距離である。また、Xは第１保持部１０１と第２保持部１０２とがなす角度、いいかえれば中心線１１１と中心線１１２とがなす角度である。
【００３８】
第１保持部１０１と第２保持部１０２はともに円筒形状である。第１保持部１０１と第２保持部１０２とがなす角度Xは９０度１０分である。
【００３９】
第１保持部１０１は開口部１０４を有する。この開口部１０４は、第１保持部１０１を構成する円筒の中心線と、第２保持部１０２を構成する円筒の中心線との交点から、前記特定距離Zだけ離れた位置で中心線１１１に直交する平面上に設置されている。
【００４０】
実施の形態２に係る配管パイプ角度固定用定規と実施の形態１に係る配管パイプ角度固定用定規との相違は、実施の形態１に係る配管パイプ角度固定用定規においては、第２保持部１０２が第１保持部１０１の端に連結されており、全体として、Ｔ字形ではなくＬ字形を構成していることである。
【００４１】
実施の形態２に係る配管パイプ角度固定用定規は、エルボーを用いて２本のパイプを連結する場合に、パイプを適切な長さで切断する場合に用いられる。理論的には、エルボーを用いて２本のパイプを連結するためのパイプを適切な長さで切断する場合であっても、実施の形態１に係る配管パイプ角度固定用定規を用いることもできる。しかし、狭い場所に配管する場合には、実施の形態１に係る配管パイプ角度固定用定規のうちパイプを差し込まない側の第１保持部が邪魔になる場合がある。このような場合に実施の形態２に係る配管パイプ角度固定用定規が有用である。
【００４２】
また、実施の形態２に係る配管パイプ角度固定用定規の場合のZの値は、使用予定のエルボーのカタログに記載されている値を使用する。
図４はエルボーの斜視図である。
図４において、６０１と６０２はエルボーの受け口であり、６１１は受け口６０１を構成する円筒の中心線であり、６１２は受け口６０２を構成する円筒の中心線である。
【００４３】
次に図４のエルボーのカタログに記載されているZの値について説明する。
図６はエルボーのカタログに記載されているエルボーの断面図である。
表２はエルボーのカタログに記載されているＺの値に関する表である。
【００４４】
【表２】
0003133724.tif 000004
図６において、６０１と６０２はこのエルボーを用いてパイプを配管する場合に、パイプを差し込む受け口であり、６１１は受け口６０１を構成する円筒の中心線であり、６１２は受け口６０２を構成する円筒の中心線であり、６１３は中心線６１１と中心線６１２との交点であり、Xは中心線６１１と中心線６１２とがなす角度であり、６２３は受け口６０１の内径が少し小さくなり、パイプを受け口６０１に差し込んだときに、該パイプの先端がこの線のところで止まり、これ以上、受け口の奥には入らないようにするための段差線である。６２５も同様の段差線である。Zは中心線６１２と段差線６２３との間隔である。
【００４５】
図６の中心線６１１は本実施の形態２に係る配管パイプ角度固定用定規の第１保持部１０１の中心線１１１に対応し、中心線６１２は第２保持部１０２の中心線１１２に対応する。また、Zは表２に記載されているZに対応する。このZは図６に示されているように、中心線６１２と受け口６０１に差し込まれるパイプの先端との間隔となる長さであり、エルボーを用いて配管工事をする際には重要な意味を持つ寸法である。
【００４６】
表２は種々の呼び径のエルボーに対するZの数値が記載されている表である。例えば、呼び径が３０ｍｍの場合にはＺとして２２ｍｍの数値が記載されている。
【００４７】
本実施の形態２に係る配管パイプ角度固定用定規を用いてパイプの長さを決めて切断する方法と、本実施の形態２に係る配管パイプ角度固定用定規を用いる効果は本実施の形態１の場合と同様であるので、説明は省略する。
【００４８】
なお、本実施の形態１に係る配管パイプ角度固定用定規と本実施の形態２に係る配管パイプ角度固定用定規の材料は塩化ビニールが好適である。ただし、塩化ビニール以外の合成樹脂でもよい。
また、製造方法には特徴がなく公知の方法によって製造できるので、説明は省略する。
【図面の簡単な説明】
【００４９】
【図１】本考案の実施の形態１に係る配管パイプ角度固定用定規の概略を表す斜視図である。
【図２】第１円筒部を構成する円筒を縦に２つに割って、第１半円筒部と第２半円筒部とし、第１半円筒部と第２半円筒部とを連結具で開閉自在に連結した配管パイプ角度固定用定規の概略斜視図である。
【図３】切り込みを有せず、第１円筒部が単なる円筒形の場合の配管パイプ角度固定用定規である。
【図４】エルボーの斜視図である。
【図５】配管用のパイプを接続するときに使用するチーズとエルボーを使用して行う配管工事の方法を説明するための部分斜視図である。
【図６】エルボーのカタログに記載されているエルボーの断面図である。
【図７】チーズのカタログに記載されているチーズの断面図である。
【図８】本考案の実施の形態２に係る配管パイプ角度固定用定規の概略を表す斜視図である。
【図９】従来の方法により、パイプを所定の長さに切断する方法を説明するための斜視図である。
【図１０】本実施の形態１に係る配管パイプ角度固定用定規を用いて、パイプを所定の長さに切断する方法を説明するための斜視図である。
【符号の説明】
【００５０】
１００      本考案の実施の形態１に係る配管パイプ角度固定用定規
１０１      第１保持部
１０２      第２保持部
１０３      切り込み
１０４      開口部
１０５      開口部
１１１      第１保持部１０１を構成する円筒の中心線
１１２      第２保持部１０２を構成する円筒の中心線
１１３      中心線１１１と中心線１１２との交点
１３０      開口部１０４を含み、中心線１１１に直交する平面と中心線１１１との交点
Ｘ          第１保持部１０１と第２保持部１０２とがなす角度（中心線１１１と中心線１１２とがなす角度と同じ）
Ｚ          第１保持部の中心線１１１に直交する平面であって開口部１０４を含む平面と中心線１１１との交点１３０と、中心線１１１と中心線１１２との交点１１３との間の距離（チーズ継手のカタログに記載されているＺ）
【図１】
0003133724.tif 000005
【図２】
0003133724.tif 000006
【図３】
0003133724.tif 000007
【図４】
0003133724.tif 000008
【図５】
0003133724.tif 000009
【図６】
0003133724.tif 000010
【図７】
0003133724.tif 000011
【図８】
0003133724.tif 000012
【図９】
0003133724.tif 000013
【図１０】
0003133724.tif 000014